(57)【要約】【課題】  水辺環境における測定機器類を直射日光や被水の悪影響から十分保護することができる水辺計測容器を提供する。【解決手段】  熱伝導率の大きな金属材料からなり、上部に出入用開口１ｆを有し、計測装置とコンピュータとバッテリーを収容可能な機器収容空間Ｓを有する水密胴体１と、これにシール材５とボルト３等により取り付けられて水密容器５０を構成する水密蓋２と、水密容器５０を容器設置面２００に設置する部材６と、間隙保持部材６、８、１８により水密容器５０の周囲に所定の間隙を配して設置される断熱板７、９、１９と、間隙保持部材６、８、１８により断熱板の周囲に所定の間隙を配して設置される遮光板１０、２０を備え、通気口１１、１２、２５〜２８を有する。【選択図】図１
2005172609.tif 000002
【特許請求の範囲】
【請求項１】
熱伝導率の大きな金属材料からなり、上部に出入用開口を有し、環境情報を計測する計測装置と前記計測された環境情報を処理するコンピュータとこれらに電源を供給するバッテリーを収容可能な機器収容空間を内部に有する水密胴体と、
前記出入用開口にシール材を介在させてネジ、又はボルトとナットにより取り付けられ、前記出入用開口の全体を隙間の無いように閉塞し、前記水密胴体と協同して水密容器を構成可能な熱伝導率の大きな金属材料からなる水密蓋と、
前記水密胴体の底面と容器設置面との間に介在するように前記容器設置面に固定される底部間隙保持部材と、
前記容器設置面との間に第１底部間隙を配し前記水密胴体底面との間に第２底部間隙を配するとともに前記底部間隙保持部材により支持されて前記水密胴体底面の全面を被覆する底部断熱板と、
前記水密胴体の側面に固定される側部間隙保持部材と、
前記水密胴体側面との間に第１側部間隙を配して前記側部間隙保持部材により支持され前記水密胴体側面の全面を被覆するとともに、外部と前記第１側部間隙を連通させる複数の第１側部通気口を有する側部断熱板と、
前記側部断熱板との間に第２側部間隙を配して前記側部間隙保持部材により支持され前記側部断熱板の外側面の全面を被覆するとともに、外部と前記第２側部間隙を連通させる複数の第２側部通気口を有する側部遮光板と、
前記水密蓋の上面に固定される蓋部間隙保持部材と、
前記水密蓋上面との間に第１蓋部間隙を配して前記蓋部間隙保持部材により支持され前記水密蓋上面の全面を被覆するとともに前記水密蓋上面から外側方へ突出する第１庇部を有する蓋部断熱板と、
前記蓋部断熱板との間に第２蓋部間隙を配して前記蓋部間隙保持部材により支持され前記蓋部断熱板の上面の全面を被覆するとともに前記蓋部断熱板上面から外側方へ突出する第２庇部を有する蓋部遮光板を
備えることを特徴とする水辺計測容器。
【請求項２】
熱伝導率の大きな金属材料からなり、４個の側面のうちの１側面である開口設置側面に出入用開口を有し、環境情報を計測する計測装置と前記計測された環境情報を処理するコンピュータとこれらに電源を供給するバッテリーを収容可能な機器収容空間を内部に有する水密胴体と、
前記出入用開口にシール材を介在させてネジ、又はボルトとナットにより取り付けられ、前記出入用開口の全体を隙間の無いように閉塞し、前記水密胴体と協同して水密容器を構成可能な熱伝導率の大きな金属材料からなる水密扉と、
前記水密胴体の底面と容器設置面との間に介在するように前記容器設置面に固定される底部間隙保持部材と、
前記容器設置面との間に第１底部間隙を配し前記水密胴体底面との間に第２底部間隙を配するとともに前記底部間隙保持部材により支持されて前記水密胴体底面の全面を被覆する底部断熱板と、
前記水密扉の外側面に固定される扉部間隙保持部材と、
前記水密扉外側面との間に第１扉部間隙を配して前記扉部間隙保持部材により支持され前記水密扉外側面の全面を被覆するとともに、外部と前記第１扉部間隙を連通させる複数の第１扉部通気口を有する扉部断熱板と、
前記扉部断熱板との間に第２扉部間隙を配して前記扉部間隙保持部材により支持され前記扉部断熱板の外側面の全面を被覆するとともに、外部と前記第２扉部間隙を連通させる複数の第２扉部通気口を有する扉部遮光板と、
前記水密胴体の側面のうち前記開口設置側面ではない開口非設置側面に固定される側部間隙保持部材と、
前記水密胴体の前記開口非設置側面との間に第１側部間隙を配して前記側部間隙保持部材により支持され前記開口非設置側面の全面を被覆するとともに、外部と前記第１側部間隙を連通させる複数の第１側部通気口を有する側部断熱板と、
前記側部断熱板との間に第２側部間隙を配して前記側部間隙保持部材により支持され前記側部断熱板の外側面の全面を被覆するとともに、外部と前記第２側部間隙を連通させる複数の第２側部通気口を有する側部遮光板と、
前記水密胴体の上面に固定される上部間隙保持部材と、
前記水密胴体上面との間に第１上部間隙を配して前記上部間隙保持部材により支持され前記水密胴体上面の全面を被覆するとともに前記水密胴体上面から外側方へ突出する第３庇部を有する上部断熱板と、
前記上部断熱板との間に第２上部間隙を配して前記上部間隙保持部材により支持され前記上部断熱板の上面の全面を被覆するとともに前記上部断熱板上面から外側方へ突出する第４庇部を有する上部遮光板を
備えることを特徴とする水辺計測容器。
【発明の詳細な説明】
【技術分野】
【０００１】
本発明は、船舶の船室外などの水辺環境において気象データ等の環境情報の計測を長期間にわたって行う場合に、計測装置、コンピュータ、バッテリーなどを収容して、これらの機器を直射日光や被水などに起因する悪影響から保護するための水辺計測容器に関するものである。
【背景技術】
【０００２】
船舶の船室の屋上、又は船舶のデッキ上等の水辺環境において、気象データ、波等の海象データ、船舶関連データ等の環境情報の計測を長期間にわたって行う場合がある。この場合には、水辺環境情報を計測する計測装置、計測された環境情報を処理するコンピュータ、及びこれらの機器に電源を供給するバッテリーなどを、計測期間の間、水辺環境に設置する必要がある。
【０００３】
しかし、水辺環境においては、直射日光による高温環境による機器の故障や誤動作、日光中の紫外線による化学変化に伴う劣化、塩分を含んだ水が機器内に侵入することによる錆、腐食、故障など、測定機器類に悪影響を及ぼす要因が多い。
【０００４】
このため、従来は、これらの測定機器類を容器の中に収容し、この容器を水辺環境に設置していた。（特許文献１を参照）。
【０００５】
しかしながら、従来の測定機器類用の容器は、水分や塩分等に対する密閉性のみに着目したものが多く、直射日光により容器内が容易に高温となり、機器類の故障の原因となるなど、問題点が多かった。
【特許文献１】特開平０９−０６１１６５号公報
【発明の開示】
【発明が解決しようとする課題】
【０００６】
本発明は上記の問題を解決するためになされたものであり、本発明の解決しようとする課題は、水辺環境における測定機器類を直射日光や被水の悪影響から十分保護することができる水辺計測容器を提供することにある。
【課題を解決するための手段】
【０００７】
上記課題を解決するため、本発明の請求項１に係る水辺計測容器は、
熱伝導率の大きな金属材料からなり、上部に出入用開口を有し、環境情報を計測する計測装置と前記計測された環境情報を処理するコンピュータとこれらに電源を供給するバッテリーを収容可能な機器収容空間を内部に有する水密胴体と、
前記出入用開口にシール材を介在させてネジ、又はボルトとナットにより取り付けられ、前記出入用開口の全体を隙間の無いように閉塞し、前記水密胴体と協同して水密容器を構成可能な熱伝導率の大きな金属材料からなる水密蓋と、
前記水密胴体の底面と容器設置面との間に介在するように前記容器設置面に固定される底部間隙保持部材と、
前記容器設置面との間に第１底部間隙を配し前記水密胴体底面との間に第２底部間隙を配するとともに前記底部間隙保持部材により支持されて前記水密胴体底面の全面を被覆する底部断熱板と、
前記水密胴体の側面に固定される側部間隙保持部材と、
前記水密胴体側面との間に第１側部間隙を配して前記側部間隙保持部材により支持され前記水密胴体側面の全面を被覆するとともに、外部と前記第１側部間隙を連通させる複数の第１側部通気口を有する側部断熱板と、
前記側部断熱板との間に第２側部間隙を配して前記側部間隙保持部材により支持され前記側部断熱板の外側面の全面を被覆するとともに、外部と前記第２側部間隙を連通させる複数の第２側部通気口を有する側部遮光板と、
前記水密蓋の上面に固定される蓋部間隙保持部材と、
前記水密蓋上面との間に第１蓋部間隙を配して前記蓋部間隙保持部材により支持され前記水密蓋上面の全面を被覆するとともに前記水密蓋上面から外側方へ突出する第１庇部を有する蓋部断熱板と、
前記蓋部断熱板との間に第２蓋部間隙を配して前記蓋部間隙保持部材により支持され前記蓋部断熱板の上面の全面を被覆するとともに前記蓋部断熱板上面から外側方へ突出する第２庇部を有する蓋部遮光板を
備えることを特徴とする。
【０００８】
また、本発明の請求項２に係る水辺計測容器は、
熱伝導率の大きな金属材料からなり、４個の側面のうちの１側面である開口設置側面に出入用開口を有し、環境情報を計測する計測装置と前記計測された環境情報を処理するコンピュータとこれらに電源を供給するバッテリーを収容可能な機器収容空間を内部に有する水密胴体と、
前記出入用開口にシール材を介在させてネジ、又はボルトとナットにより取り付けられ、前記出入用開口の全体を隙間の無いように閉塞し、前記水密胴体と協同して水密容器を構成可能な熱伝導率の大きな金属材料からなる水密扉と、
前記水密胴体の底面と容器設置面との間に介在するように前記容器設置面に固定される底部間隙保持部材と、
前記容器設置面との間に第１底部間隙を配し前記水密胴体底面との間に第２底部間隙を配するとともに前記底部間隙保持部材により支持されて前記水密胴体底面の全面を被覆する底部断熱板と、
前記水密扉の外側面に固定される扉部間隙保持部材と、
前記水密扉外側面との間に第１扉部間隙を配して前記扉部間隙保持部材により支持され前記水密扉外側面の全面を被覆するとともに、外部と前記第１扉部間隙を連通させる複数の第１扉部通気口を有する扉部断熱板と、
前記扉部断熱板との間に第２扉部間隙を配して前記扉部間隙保持部材により支持され前記扉部断熱板の外側面の全面を被覆するとともに、外部と前記第２扉部間隙を連通させる複数の第２扉部通気口を有する扉部遮光板と、
前記水密胴体の側面のうち前記開口設置側面ではない開口非設置側面に固定される側部間隙保持部材と、
前記水密胴体の前記開口非設置側面との間に第１側部間隙を配して前記側部間隙保持部材により支持され前記開口非設置側面の全面を被覆するとともに、外部と前記第１側部間隙を連通させる複数の第１側部通気口を有する側部断熱板と、
前記側部断熱板との間に第２側部間隙を配して前記側部間隙保持部材により支持され前記側部断熱板の外側面の全面を被覆するとともに、外部と前記第２側部間隙を連通させる複数の第２側部通気口を有する側部遮光板と、
前記水密胴体の上面に固定される上部間隙保持部材と、
前記水密胴体上面との間に第１上部間隙を配して前記上部間隙保持部材により支持され前記水密胴体上面の全面を被覆するとともに前記水密胴体上面から外側方へ突出する第３庇部を有する上部断熱板と、
前記上部断熱板との間に第２上部間隙を配して前記上部間隙保持部材により支持され前記上部断熱板の上面の全面を被覆するとともに前記上部断熱板上面から外側方へ突出する第４庇部を有する上部遮光板を
備えることを特徴とする。
【発明の効果】
【０００９】
本発明に係る水辺計測容器は、水密胴体と水密蓋、又は水密胴体と水密扉とをシール材を介在させネジ等で取り付けるため、水密性に優れ、水辺環境における水の侵入を防止することができる。また、水密容器の側部及び上部に、遮光板、断熱板、通気口等を設置したため、直射日光を浴びても、通風による冷却効果が期待でき、水密容器内が高温になることを防止することができる、という利点を有している。
【発明を実施するための最良の形態】
【００１０】
以下に説明する実施例は、水密胴体と水密蓋とをシール材を介在させネジ等で取り付けるとともに、水密容器の側部及び上部に、遮光板、断熱板、通気口等を設置したものであり、比較的簡易な構成により、水密性と断熱性という効果を得ることができ、本発明を実現するための構成として最良の形態である。
【実施例１】
【００１１】
以下、本発明の第１実施例について、図面を参照しながら説明する。図１は、本発明の第１実施例である水辺計測容器の構成を示す図であり、水辺計測容器の正面から見た断面図である。
【００１２】
図１に示すように、この水辺計測容器１０１は、水密胴体１と、水密蓋２を備えている。また、水密胴体１、水密蓋２の周囲には、各種の断熱板と遮光板が取り付けられている。以下、これらの構成要素について、詳細に説明する。
【００１３】
水密胴体１は、板状の底板１ａを水平状態にした場合の４つの外周縁に、それぞれ側板１ｂ、１ｃ等を、鉛直上方へ直立するように取り付けることによって構成されている。図１においては、図における底板１ａの左端に側板１ｂが図示され、図における底板１ａの右端に側板１ｃが図示されているが、さらに、図における底板１ａの紙面手前側に３枚目の側板（図示せず）が取り付けられ、図における底板１ａの紙面奥側に４枚目の側板（図示せず）が取り付けられている。
【００１４】
底板１ａ、側板１ｂ及び１ｃは、熱伝導率の大きな金属材料から形成されている。熱伝導率の大きな金属材料としては、例えば、銅（Ｃｕ）、銅合金、アルミニウム（Ａｌ）、アルミニウム合金などが利用可能である。
【００１５】
また、底板１ａと各側板１ｂ等との接触縁部、及び各側板１ｂどうしの接触縁部は、溶接等により接合されている。あるいは、熱伝導率の大きな金属材料にプレス加工や絞り加工などを施すことにより、水密胴体１を作製してもよい。
【００１６】
上記のような構成により、水密胴体１は、上部が開口し下部が閉塞した直方体状となっている。内部の空洞Ｓは、図示はしていないが、各種の計測装置、コンピュータ、バッテリーなどを収容可能な空間となっている。以下、この空間を、「機器収容空間」という。これらの計測装置は、船室の屋上、又は船舶のデッキ上等の水辺環境において、気象データ、波等の海象データ、船舶関連データ等の環境情報の計測を行う。また、コンピュータは、計測された環境情報を処理する。また、バッテリーは、これらの機器に電源を供給する。
【００１７】
また、水密胴体１の上部の開口１ｆは、上記した各機器類を、機器収容空間Ｓへ搬入・設置し、あるいは、上記した各機器類を、機器収容空間Ｓから外部へてっ去・搬出するための開口であり、以下、「出入用開口」という。
【００１８】
また、出入用開口１ｆの縁部は、図１に示すように、水密胴体１の側板１ｂ、１ｃ等の上端が略直角に内部の機器収容空間Ｓの側へ折り曲げられた形状となっており、上面が平面状となった蓋取付部１ｄ、１ｅを形成している。図示していない他の２枚の側板についても同様の構成の蓋取付部（図示せず）が形成されている。
【００１９】
また、蓋取付部１ｄには、上方の外部と機器収容空間Ｓとを連通するように貫通するボルト挿通孔１ｇが複数個形成されている。また、蓋取付部１ｄの下面には、ボルト挿通孔１ｇと中心位置が同一となるように、ナット４が接合されている。接合は、溶接等が用いられ、大きな外力が作用しても、ナット４が脱落しないように固定される。他の側板の上端の蓋取付部１ｅ等についても同様である。ナット４は、貫通するボルト孔が形成されており、ボルト孔の内壁には、雌ネジが形成されている。
【００２０】
水密蓋２は、長方形状又は正方形状をなす板状の部材であり、熱伝導率の大きな金属材料から形成されている。熱伝導率の大きな金属材料としては、例えば、銅（Ｃｕ）、銅合金、アルミニウム（Ａｌ）、アルミニウム合金などが利用可能である。
【００２１】
水密蓋２の形状・寸法は、出入用開口１ｆの全体を閉塞可能な形状・寸法となっている。また、水密蓋２には、水密蓋２を蓋取付部１ｄの上に載置した状態において、ボルト挿通孔１ｇに対応する箇所に、ボルト挿通孔１ｇと同様の径の貫通孔であるボルト挿通孔２ａが同数形成されている。
【００２２】
上記した水密蓋２を水密胴体１の蓋取付部１ｄ、１ｅ等に取り付ける場合には、まず、水密胴体１の蓋取付部１ｄ、１ｅ等の上面にシール材５を載置する。シール材５は、蓋取付部１ｄ等と略同一の形状・寸法を有する板状の部材である。シール材５は、水や空気を通過させない密度と、力によって変形可能な弾力性を有している。シール材５の材料としては、人造ゴム、ゴムを含むゴム系材料、軟質プラスチックなどが利用可能である。また、シール材５には、シール材５を蓋取付部１ｄの上に載置した状態において、ボルト挿通孔１ｇに対応する箇所に、ボルト挿通孔１ｇと同様の径の貫通孔であるボルト挿通孔５ａが同数形成されている。
【００２３】
水密胴体１の蓋取付部１ｄ、１ｅ等の上面にシール材５を載置する場合には、蓋取付部１ｄ等のボルト挿通孔１ｇとボルト挿通孔５ａがちょうど重なる状態となるようにする。次に、シール材５の上面に、水密蓋２を載置する。その後、水密蓋２のボルト挿通孔２ａの上方から、ボルト３の軸部（外側面に雄ネジが形成されている部分）を挿通させる。このボルト３の外径は、ボルト挿通孔２ａ、５ａ、１ｇの内径よりも、わずかに小さい値に設定されている。また、ボルト３の軸部の外側面の雄ネジは、ナット４のボルト孔の内壁の雌ネジと螺合可能なように構成されている。
【００２４】
したがって、ボルト３の軸部をさらに挿入して、シール材５のボルト挿通孔５ａを挿通させ、さらに蓋取付部１ｄ等のボルト孔１ｇを挿通させたのち、ボルト３の頭部３ａをスパナやレンチ等の工具によって締付方向に回動させることにより、ボルト３の軸部をナット４にねじ込み、螺合させることができる。さらにボルト３の頭部３ａを締付方向に回転させることにより、水密蓋２を、シール材５を介して蓋取付部１ｄ等に強固に取り付けることができる。
【００２５】
この際、シール材５は、弾力性により、蓋取付部１ｄ等の上面に密着するとともに、水密蓋２の外縁付近の下面にも密着する。これにより、出入用開口１ｆの下部の外縁付近のシール材５との間には、隙間が無くなり、水や空気が外部から機器収容空間Ｓの内部へ侵入することが防止される。
【００２６】
このようにして、水密蓋２が水密胴体１に取り付けられると、両者は協同して水密容器５０を構成する。なお、水密性について、さらに万全を尽くす場合には、ボルト３の頭部３ａの周囲と水密蓋２の上面との間に、公知の隙間充填材、パテ材、注入式シーリング材等を充填、注入等すればよい。
【００２７】
水密胴体１の底板１ａの下部には、底部間隙保持部材６が取り付けられている。底部間隙保持部材６は、例えば柱状の部材である。底部間隙保持部材６の材質は、断熱性に富むもの（例えば、プラスチック材料等）となっている。この底部間隙保持部材６は、ボルト・ナットの組み合わせや、溶接等によって、水密胴体１の底板１ａの下部に取り付けられている。
【００２８】
この底部間隙保持部材６は、水密容器５０を、容器設置面２００の上に支持するための脚の機能も有している。容器設置面２００としては、例えば、船舶の船室の屋上面、又は船舶のデッキ上面等が利用される。底部間隙保持部材の設置個数６は、例えば３個に設定される。このようにすれば、必ず１つの平面が決定されるので、水密容器５０のガタ付きが少ない。また、底部間隙保持部材の設置個数６は、４個以上の数に設定されてもよい。
【００２９】
底部間隙保持部材６は、水密胴体１の底面と容器設置面２００との間に介在するように容器設置面２００に固定される。固定の方法としては、図示はしていないが、ボルト・ナットの組み合わせなどが利用可能である。
【００３０】
また、底部間隙保持部材６は、水密胴体１の底面と容器設置面２００との間で底部断熱板７を支持している。底部断熱板７は、長方形状又は正方形状をなす板状の部材であり、断熱材料から形成されている。断熱材料としては、例えば、発泡スチロール（発泡ポリスチレン）、発泡フェノール樹脂、発泡ユリア樹脂、発泡ポリウレタン、発泡ポリ塩化ビニル等の発泡性プラスチック材料などが利用可能である。発泡性樹脂は、内部に多数の微少孔や微少空隙を有しており、熱が伝達しにくい性質を有している。
【００３１】
この場合、底部断熱板７と容器設置面２００との間には、板状の空間である第１底部間隙Ｖ１１が形成される。また、水密胴体１の底板１ａの下面（水密胴体底面）と底部断熱板７との間には、板状の空間である第２底部間隙Ｖ１２が形成される。また、底部断熱板７は、図１に示すように、水密胴体１の底板１ａの下面（水密胴体底面）の全面を被覆し、さらに、水密胴体１の外側方（図１の左方向及び右方向）へ所定の長さだけ突出している。
【００３２】
また、水密胴体１の側板１ｂ等の外側部には、側部間隙保持部材８が取り付けられている。側部間隙保持部材８は、例えば柱状の部材である。側部間隙保持部材８の材質は、断熱性に富むもの（例えば、プラスチック材料等）となっている。この側部間隙保持部材８は、ボルト・ナットの組み合わせや、溶接等によって、水密胴体１の側板１ｂ等の外側部に取り付けられている。
【００３３】
また、側部間隙保持部材８は、その中間に、側部断熱板９を支持している。側部断熱板９は、長方形状又は正方形状をなす板状の部材であり、断熱材料から形成されている。断熱材料としては、底部断熱板７と同様の材料が利用可能である。側部断熱板９には、貫通する開口である第１側部通気口１１が、複数個設けられている。第１側部通気口１１の断面形状としては、細長い長方形状の開口（スリット）などが用いられる。
【００３４】
また、側部間隙保持部材８は、その先端に、側部遮光板１０を支持している。側部遮光板１０は、長方形状又は正方形状をなす板状の部材であり、金属材料、プラスチック材料等によって形成されている。側部遮光板１０の材質は、耐腐食性に富むもの（例えば、耐食性コーティングを施した金属材料、耐候性鋼材等）であると、さらに好ましい。側部遮光板１０には、貫通する開口である第２側部通気口１２が、複数個設けられている。第２側部通気口１２の断面形状としては、細長い長方形状の開口（スリット）などが用いられる。また、第２側部通気口１２の一方の縁には、側部遮光板１０を折り曲げて覆部１０ａが形成されている。
【００３５】
この場合、水密胴体１の側板１ｂ等の外側面（水密胴体側面）と側部断熱板９との間には、板状の空間である第１側部間隙Ｖ２１が形成される。また、側部断熱板９と側部遮光板１０との間には、板状の空間である第２側部間隙Ｖ２２が形成される。また、側部断熱板９は、図１に示すように、水密胴体１の側板１ｂ等の外側面（水密胴体側面）の全面を被覆している。また、側部遮光板１０は、図１に示すように、側部断熱板９水密胴体１の外側面の全面を被覆している。また、第１側部通気口１１は、図１に示すように、外部と第１側部間隙Ｖ２１を連通させている。また、第２側部通気口１２は、図１に示すように、外部と第２側部間隙Ｖ２２を連通させている。
【００３６】
また、水密蓋２の上面には、蓋部間隙保持部材１８が取り付けられている。蓋部間隙保持部材１８は、例えば柱状の部材であり、蓋部間隙保持部材１８の材質は、断熱性に富むもの（例えば、プラスチック材料等）となっている。この蓋部間隙保持部材１８は、ボルト・ナットの組み合わせや、溶接等によって、水密蓋２上面に取り付けられている。
【００３７】
また、蓋部間隙保持部材１８は、その中間に、蓋部断熱板１９を支持している。蓋部断熱板１９は、長方形状又は正方形状をなす板状の部材であり、断熱材料から形成されている。断熱材料としては、底部断熱板７と同様の材料が利用可能である。
【００３８】
また、蓋部間隙保持部材１８は、その先端に、蓋部遮光板２０を支持している。蓋部遮光板２０は、長方形状又は正方形状をなす板状の部材であり、金属材料、プラスチック材料等によって形成されている。蓋部遮光板２０の材質は、耐腐食性に富むもの（例えば、耐食性コーティングを施した金属材料、耐候性鋼材等）であると、さらに好ましい。
【００３９】
この場合、水密蓋２の上面と蓋部断熱板１９との間には、板状の空間である第１蓋部間隙Ｖ３１が形成される。また、蓋部断熱板１９と蓋部遮光板２０との間には、板状の空間である第２蓋部間隙Ｖ３２が形成される。また、蓋部断熱板１９は、図１に示すように、水密蓋２の上面の全面を被覆している。また、蓋部断熱板１９は、図１に示すように、水密蓋２の上面から外側方（図１の左方向及び右方向）へ所定の長さだけ突出する第１庇部１９ａを有している。また、蓋部遮光板２０は、図１に示すように、蓋部断熱板１９の上面の全面を被覆している。また、蓋部遮光板２０は、図１に示すように、蓋部断熱板１９の上面から外側方（図１の左方向及び右方向）へ所定の長さだけ突出する第２庇部２０ａを有している。
【００４０】
次に、上記した水辺計測容器１０１の作用について説明する。
【００４１】
まず、水密蓋２を、ボルト３等により、水密胴体１の上部に取り付け、又は取り外しが可能であるため、計測装置とコンピュータとバッテリーを適宜に出し入れすることが可能である。
【００４２】
また、弾力性と水密性及び気密性を有するシール材５を介在させた状態で、ボルト３を締め付けることができる。このため、水密容器５０が海水等をかぶった場合でも、海水は、機器収容空間Ｓの内部に侵入することはない。
【００４３】
また、水密蓋２は、水密胴体１に、ボルト３によって、強固に固定されている。このため、波をかぶった場合でも、波力による悪影響（容器の破損など）が防止される。
【００４４】
また、水密容器５０（水密胴体１と水密蓋２）は、熱伝導率の大きな金属材料により形成されている。このため、水密容器５０の内部に収容されたコンピュータ等の機器が発生する熱は、すみやかに外部へ伝達され、例えば、第１側部間隙Ｖ２１の空気中、第１蓋部間隙Ｖ３１の空気中、第２底部間隙Ｖ１２の空気中などに発散される。このため、水密容器５０の内部の機器収容空間Ｓの温度が上昇しても、所定の温度を越えることはなく、コンピュータの誤動作等を引き起こすことはない。
【００４５】
また、水密容器５０の側部と上部には、側部遮光板１０と蓋部遮光板２０によって被覆されている。これにより、夏期の直射日光も、これらの遮光板によって遮られ、水密容器５０の温度が上昇することが防止される。
【００４６】
また、側部遮光板１０は、水密容器５０から一定の距離をあけて設置され、かつ、断熱性に富む材料からなる側部間隙保持部材８によって支持されている。また、蓋部遮光板２０は、水密容器５０から一定の距離をあけて設置され、かつ、断熱性に富む材料からなる蓋部間隙保持部材１８によって支持されている。このため、側部遮光板１０や蓋部遮光板２０が太陽熱で熱せられた場合でも、その熱が水密容器５０に伝達されないようになっている。
【００４７】
また、側部遮光板１０には、第２側部通気口１２が設けられており、側部遮光板１０の下方には、通気口２６、２７が設けられている。また、蓋部遮光板２０の外縁付近には、通気口２５、２８が形成されている。このため、これらの通気口に外部から風が吹き込み、風によって水密容器５０の側面、上面、底面が通気される。また、上部と下部に通気口があるため、空気の温度対流によっても、通気が行われる。
【００４８】
また、蓋部遮光板２０の外縁は、水密容器５０の上面よりも外側方へ突出した第２庇部２０ａとなっており、直射日光に対して影を作ることができ、これによっても、水密容器５０の温度上昇を防止することができる。
【００４９】
また、側部遮光板１０と水密容器５０との間には、側部断熱板９が設けられ、断熱性を有する側部間隙保持部材８によって支持されている。また、蓋部遮光板２０と水密容器５０との間には、蓋部断熱板１９が設けられ、断熱性を有する蓋部間隙保持部材１８によって支持されている。このような構成により、側部遮光板１０や蓋部遮光板２０が太陽熱で熱せられた場合でも、その熱が空気を介して水密容器５０に伝達されないようになっている。
【００５０】
また、容器設置面２００と水密容器５０との間には、底部断熱板７が設けられ、断熱性を有する底部間隙保持部材６によって支持されている。このような構成により、容器設置面２００が太陽熱で熱せられた場合でも、その熱が空気を介して水密容器５０に伝達されないようになっている。
【００５１】
また、第２側部通気口１２の一方の縁には、側部遮光板１０を折り曲げて覆部１０ａが形成されている。この覆部１０ａにより、海水等が侵入することを防止し、かつ、直射日光に対し影を作って温度上昇を防止する庇の機能を果たすことができる。
【００５２】
なお、本発明は、上記した実施例に限定されるものではない。上記した実施例は、例示であり、本発明の特許請求の範囲に記載された技術的思想と実質的に同一な構成を有し、同様な作用効果を奏するものは、いかなるものであっても本発明の技術的範囲に包含される。
【００５３】
例えば、上記実施形態においては、水辺計測容器が用いられる箇所が海洋上（例えば船舶上）や海岸付近である例について説明したが、本発明はこれには限定されず、他の箇所、例えば、例えば、湖、池、沼等の内水部において使用してもよい。
【００５４】
また、水密胴体１は、上部が開口し下部が閉塞した直方体以外の形状であってもよい。例えば、上部が開口し下部が閉塞した筒体などであってもよい。筒の断面は、円形、楕円形、三角形、五角形以上の角を有する多角形などであってもよい。
【００５５】
また、蓋取付部１ｄ等の下部にナット４を接合する構成だけでなく、他の構成も可能である。例えば、蓋取付部１ｄ等のボルト挿通孔１ｇの位置に、ボルト挿通孔のかわりにボルト孔を設け、このボルト孔の内壁に、ボルト３と螺合可能な雌ネジを形成しておいてもよい。このように構成すれば、ボルト３は、蓋取付部１ｄ等のボルト孔と螺合し、ナット４の場合と同様にして、水密蓋２を締め付けて、水密胴体１に取り付けることができる。また、この場合には、ボルトのかわりに、ネジを用いてもよい。
【００５６】
また、本発明における出入用開口は、上記した第１実施例の１ｆのように、水密胴体１の上部に設けられるもののほか、他の構成であってもよい。例えば、図示はしていないが、水密胴体の４個の側面のうちの１側面（以下、「開口設置側面」という。）に出入用開口を設けるとともに、この出入用開口に水密扉を設けて水辺計測容器を構成してもよい（以下、「第２実施例」という。）。
【００５７】
この第２実施例と上記した第１実施例との相違点及び共通点は、以下の通りである。
【００５８】
ａ）まず、出入用開口（図示せず）が開口設置側面に設けられている点が第１実施例と異なっている。この出入用開口（図示せず）の構成及び作用は、設置箇所を除き、上記の出入用開口１ｆと同様である。
【００５９】
ｂ）また、開口設置側面の出入用開口に水密扉（図示せず）が設けられている点が第１実施例と異なっている。この水密扉（図示せず）の構成及び作用は、設置箇所を除き、上記の水密蓋２と同様である。
【００６０】
ｃ）また、水密扉の外側面に固定される扉部間隙保持部材（図示せず）が設けられている点が第１実施例と異なっている。この扉部間隙保持部材（図示せず）の構成及び作用は、設置箇所を除き、上記の側部間隙保持部材８と同様である。
【００６１】
ｄ）また、水密扉外側面との間に第１扉部間隙を配して扉部間隙保持部材により支持され水密扉外側面の全面を被覆するとともに、外部と第１扉部間隙を連通させる複数の第１扉部通気口を有する扉部断熱板（図示せず）が設けられている点が第１実施例と異なっている。この扉部断熱板（図示せず）の構成及び作用は、設置箇所を除き、上記の側部断熱板９と同様である。また、第１扉部間隙（図示せず）の構成及び作用は、設置箇所を除き、上記の第１側部間隙Ｖ２１と同様である。また、第１扉部通気口（図示せず）の構成及び作用は、設置箇所を除き、上記の第１側部通気口１１と同様である。
【００６２】
ｅ）また、扉部断熱板との間に第２扉部間隙を配して扉部間隙保持部材により支持され扉部断熱板の外側面の全面を被覆するとともに、外部と第２扉部間隙を連通させる複数の第２扉部通気口を有する扉部遮光板（図示せず）が設けられている点が第１実施例と異なっている。この扉部遮光板（図示せず）の構成及び作用は、設置箇所を除き、上記の側部遮光板１０と同様である。また、第２扉部間隙（図示せず）の構成及び作用は、設置箇所を除き、上記の第２側部間隙Ｖ２２と同様である。また、第２扉部通気口（図示せず）の構成及び作用は、設置箇所を除き、上記の第２側部通気口１２と同様である。
【００６３】
ｆ）また、水密胴体の側面のうち開口設置側面ではない側面（以下、「開口非設置側面」という。）に固定される側部間隙保持部材（図示せず）が設けられている点が第１実施例と異なっている。この側部間隙保持部材（図示せず）の構成及び作用は、設置箇所を除き、上記の側部間隙保持部材８と同様である。また、側部断熱板（図示せず）の構成及び作用は、設置箇所を除き、上記の側部断熱板９と同様である。また、側部遮光板（図示せず）の構成及び作用は、設置箇所を除き、上記の側部遮光板１０と同様である。
【００６４】
ｇ）また、水密胴体の上面に固定される上部間隙保持部材（図示せず）が設けられている点が第１実施例と異なっている。この上部間隙保持部材（図示せず）の構成及び作用は、設置箇所を除き、上記の蓋部間隙保持部材１８と同様である。
【００６５】
ｈ）また、水密胴体上面との間に第１上部間隙を配して上部間隙保持部材により支持され水密胴体上面の全面を被覆するとともに水密胴体上面から外側方へ突出する第３庇部を有する上部断熱板（図示せず）が設けられている点が第１実施例と異なっている。この上部断熱板（図示せず）の構成及び作用は、設置箇所を除き、上記の蓋部断熱板１９と同様である。また、第１上部間隙（図示せず）の構成及び作用は、設置箇所を除き、上記の第１蓋部間隙Ｖ３１と同様である。また、第３庇部（図示せず）の構成及び作用は、設置箇所を除き、上記の第１庇部１９ａと同様である。
【００６６】
ｉ）また、上部断熱板との間に第２上部間隙を配して上部間隙保持部材により支持され上部断熱板の上面の全面を被覆するとともに上部断熱板上面から外側方へ突出する第４庇部を有する上部遮光板（図示せず）が設けられている点が第１実施例と異なっている。この上部遮光板（図示せず）の構成及び作用は、設置箇所を除き、上記の蓋部遮光板２０と同様である。また、第２上部間隙（図示せず）の構成及び作用は、設置箇所を除き、上記の第２蓋部間隙Ｖ３２と同様である。また、第４庇部（図示せず）の構成及び作用は、設置箇所を除き、上記の第２庇部２０ａと同様である。
【００６７】
上記以外の第２実施例の構成要素の構成及び作用は、第１実施例の場合とまったく同様である。
【産業上の利用可能性】
【００６８】
本発明は、海洋上や船舶上等の水辺環境で計測を行う企業等で実施可能であり、これらの産業で利用可能である。また、水辺計測容器は、機械、電気機器等の製造業において製造することができ、これらの産業で利用可能である。
【図面の簡単な説明】
【００６９】
【図１】本発明の第１実施例である水辺計測容器の構成を示す図である。
【符号の説明】
【００７０】
１  水密胴体
１ａ  底板
１ｂ、１ｃ  側板
１ｄ、１ｅ  蓋取付部
１ｆ  出入用開口
１ｇ  ボルト挿通孔
２  水密蓋
２ａ  ボルト挿通孔
３  ボルト
３ａ  頭部
４  ナット
５  シール材
５ａ  ボルト挿通孔
６  底部間隙保持部材
７  底部断熱板
８  側部間隙保持部材
９  側部断熱板
１０  側部遮光板
１０ａ  覆部
１１  第１側部通気口
１２  第２側部通気口
１８  蓋部間隙保持部材
１９  蓋部断熱板
１９ａ  第１庇部
２０  蓋部遮光板
２０ａ  第２庇部
２５〜２８  開口
５０  水密容器
１０１  水辺計測容器
２００  容器設置面
Ｓ  機器収容空間
Ｖ１１  第１底部間隙
Ｖ１２  第２底部間隙
Ｖ２１  第１側部間隙
Ｖ２２  第２側部間隙
Ｖ３１  第１蓋部間隙
Ｖ３２  第２蓋部間隙
【図１】
2005172609.tif 000003